(57)【要約】【課題】加入年齢や加入期間だけではなく、健康維持管理の状況に応じて保険料を合理的に算出することができる保険料管理システムを提供する。【解決手段】健康商品１と、前記健康商品１に内蔵され前記健康商品１の使用状況を検知する検知手段１３と、前記健康商品１と通信回線を介して接続されたサーバ２とを備え、前記サーバ２に、前記検知手段１３で検知した前記健康商品１の使用状況に基づき保険料を算出する算出手段２３を設けたもので、加入年齢や加入期間だけではなく、健康商品１の使用回数や使用時間といった健康維持管理の状況を加味した保険料を支払うことで健康を維持しつつ保険料を低減することができ、またその保険料を時間と労力をかけずに算出することで、合理的な保険料管理システムを提供できる。【選択図】図１
2006236203.tif 000002
【特許請求の範囲】
【請求項１】
健康商品と、前記健康商品に内蔵され前記健康商品の使用状況を検知する検知手段と、通信回線を介して前記健康商品と接続されたサーバとを備え、前記検知手段で検知した前記健康商品の使用状況に基づき保険料を算出する算出手段を前記サーバに設けたことを特徴とする保険料管理システム。
【請求項２】
検知手段は、健康商品の使用時間及び／又は使用回数を、使用状況として検知する請求項１に記載の保険料管理システム。
【請求項３】
健康商品に記憶手段を設け、加入者からの要求によりサーバから前記健康商品に送信されたソフトウェアを前記記憶手段に格納し、該ソフトウェアにより前記健康商品の作動を制御する一方、前記健康商品の使用状況に基づき算出手段で算出される保険料に、前記ソウトウェアの使用に対する費用を加算するようにした請求項１または２に記載の保険料管理システム。
【請求項４】
サーバは、健康商品の作動制御用のソフトウェアを保有し、前記ソフトウェアに基づき前記サーバから前記健康商品に作動制御信号を送信し、前記健康商品の作動を制御する一方、前記健康商品の使用状況に基づき算出手段で算出される保険料に、前記ソウトウェアの使用に対する費用を加算する請求項１または２に記載の保険料管理システム。
【請求項５】
検知手段は健康商品の種類を検知し、前記健康商品の種類に応じて、前記健康商品の使用状況に基づき算出手段で算出される保険料を、加減する請求項１〜４のいずれか１項に記載の保険料管理システム。
【請求項６】
健康商品をレンタル商品とし、前記健康商品の使用状況に基づき算出手段で算出される保険料に、前記健康商品のレンタル料を加算する請求項１〜５のいずれか１項に記載の保険料管理システム。
【請求項７】
検知手段は、前記健康商品の作動不良を検知し、表示手段と、前記作動不良の対処方法を記憶したデータベースとを備え、前記検知手段で商品作動不良を検知すると、前記対処方法を前記データベースから読み出して、前記表示手段に表示させる請求項１〜６のいずれか１項に記載の保険料管理システム。
【請求項８】
サーバが修理業者の端末と通信回線を介して接続されると共に、加入者が情報を入力するための入力手段を健康商品に設け、作動不良が解消しない場合に、前記サーバから前記修理業者の前記端末に前記作動不良内容を送信するとともに、前記入力手段から入力された前記加入者の情報を、前記サーバを介して前記端末に送信する請求項７に記載の保険料管理システム。
【請求項９】
健康商品は、酸素濃度の高い酸素富化空気を発生させる酸素富化手段と、連結管を介して前記酸素富化手段と連通すると共に、前記酸素富化空気を吐出する酸素富化空気吐出手段とを備える酸素富化機とした請求項１〜８のいずれか１項に記載の保険料管理システム。
【請求項１０】
酸素富化手段を内蔵する本体を備え、前記本体と連結管とをレンタル品として貸出すと共に、酸素富化空気吐出手段を加入者に販売し、前記レンタル品の使用状況に基づきレンタル料を算出する請求項９に記載の保険料管理システム。
【請求項１１】
本体及び連結管を、旅客機、客船、旅客列車、バス等の輸送媒体に備えた請求項１０に記載の保険料管理システム。
【請求項１２】
酸素富化機を使用する部屋、席、個室等の場所または空間を加入者に提供し、加入者が使用した前記場所または前記空間の使用状況に基づき保険料を算出する請求項９〜１１のいずれか１項に記載の保険料管理システム。
【請求項１３】
加入者の体調に関する情報を入力し、前記加入者の体調に応じて酸素濃度、吹出し風量、吹出し温度を変化させる制御情報を、酸素富化機に出力する請求項９〜１２のいずれか１項に記載の保険料管理システム。
【請求項１４】
加入者の脳波に関する情報を入力し、前記脳波に応じて酸素濃度、吹出し風量、吹出し温度を変化させる制御情報を、酸素富化機に出力する請求項９〜１２のいずれか１項に記載の保険料管理システム。
【請求項１５】
加入者に関する個人情報をデーターベース化し、前記データーベースに入力された前記個人情報に応じて、酸素濃度、吹出し風量、吹出し温度を変化させる制御情報を、酸素富化機に出力する請求項９〜１２のいずれか１項に記載の保険料管理システム。
【請求項１６】
請求項９〜１５のいずれか１項に記載の保険料管理システムを、コンピュータに実行させるためのプログラム。
【発明の詳細な説明】
【技術分野】
【０００１】
本発明は、保険料管理システム、及びこの保険料管理システムを実行するためのプログラムに関するものである。
【背景技術】
【０００２】
従来の保険料管理システムで算出される保険料は、一般に加入年齢、加入期間、加入時の健康状態等により定められていた。また、医療機関と連携して定期的に加入者の健康診断データを取得し、そのデータから、保険料を更新するものもある（例えば、特許文献１参照）。
【０００３】
しかし、加入者の健康度合いは、本人が健康維持にどれだけ配慮しているかで大きく異なることから、加入年齢、加入期間、加入時の健康状態あるいは、定期的な健康状態だけではなく、健康商品の使用回数や使用時間といった健康維持管理の状況に応じて保険料を算出するのが合理的であり、また加入者側の強い要望でもあった。
【特許文献１】特開２００２−３７３２５７号公報
【発明の開示】
【発明が解決しようとする課題】
【０００４】
しかしながら、健康商品の使用回数や使用時間といった健康維持管理の状況を把握するために、その状況を記憶する記憶手段を、加入者が使用している健康商品に取り付け、都度加入者宅へ出向いてその記憶された使用状況から保険料を算出することは、非常に多くの時間と労力がかかり、現実的ではなかった。
【０００５】
本発明は、上記従来の課題を解決するもので、健康商品の使用状況に応じて保険料を時間と労力をかけずに算出することができる管理システム、酸素富化機の保険料管理システム及びコンピュータ読み取り可能な情報記憶媒体を提供することをその目的とするものである。
【課題を解決するための手段】
【０００６】
上記従来の課題を解決するために、本発明の保険料管理システムは、健康商品と、前記健康商品に内蔵され前記健康商品の使用状況を検知する検知手段と、前記健康商品と通信回線を介して接続されたサーバとを備え、前記サーバに、前記検知手段で検知した前記健康商品の使用状況に基づき保険料を算出する算出手段を設けたもので、加入年齢や加入期間だけではなく、健康商品の使用回数や使用時間といった健康維持管理の状況を加味した保険料を支払うことで健康を維持しつつ保険料を低減することができ、またその保険料を時間と労力をかけずに算出することで、合理的な保険料管理システムを提供できる。
【発明の効果】
【０００７】
本発明の保険料管理システムは、加入年齢や加入期間だけではなく、健康商品の使用回数や使用時間といった健康維持管理の状況に応じて保険料を時間と労力をかけずに算出することができ、非常に合理的である。
【発明を実施するための最良の形態】
【０００８】
第１の発明は、健康商品と、前記健康商品に内蔵され前記健康商品の使用状況を検知する検知手段と、前記健康商品と通信回線を介して接続されたサーバとを備え、前記サーバに、前記検知手段で検知した前記健康商品の使用状況に基づき保険料を算出する算出手段を設けたもので、加入年齢や加入期間だけではなく、健康商品の使用回数や使用時間といった健康維持管理の状況を加味した保険料を支払うことで健康を維持しつつ保険料を低減することができ、またその保険料を時間と労力をかけずに算出することで、合理的な保険料管理システムを提供できる。
【０００９】
第２の発明は、特に、第１の発明の検知手段は、健康商品の使用時間及び／又は使用回数を、使用状況として検知するもので、健康商品の使用状況の検知が容易にできるものである。
【００１０】
第３の発明は、特に、第１または第２の発明の健康商品に記憶手段を設け、加入者からの要求によりサーバから前記健康商品に送信されたソフトウェアを前記記憶手段に格納し、該ソフトウェアにより前記健康商品の作動を制御する一方、算出手段において前記ソウトウェアの使用に対する費用を保険料に加算するようにしたもので、利用者は、健康商品を作動させるソフトウエアを最新のソフトウエアを含む多数のソフトウエアの中から選択することができ、最適なソフトウエアで健康商品を作動させることができ、また、ソフトウエアの使用に対する費用の清算も容易である。
【００１１】
第４の発明は、特に、第１または第２の発明のサーバは、健康商品の作動制御用のソフトウェアを保有し、前記ソフトウェアに基づき前記サーバから前記健康商品に作動制御信号を送信し、前記健康商品の作動を制御する一方、算出手段において前記ソウトウェアの使用に対する費用を保険料に加算するもので、最新のソフトウエアでかつ最適なソフトウエアで健康商品を作動できると共に、ソフトウエアを記憶するための記憶手段を健康商品に設ける必要がなく、安価に構成できる。また、ソフトウエアの使用費用はサーバで保険料に加算されるので、決済処理手続きが簡単となる。
【００１２】
第５の発明は、特に、第１〜４のいずれか一つの発明の検知手段で健康商品の種類を検知し、前記健康商品の種類に応じて算出手段が保険料を加減するもので、例えば健康維持効果が大きな健康商品を使用する場合に、保険料を下げるようにすれば、より実用的で、また加入者も満足する事ができる。
【００１３】
第６の発明は、特に、第１〜５のいずれか一つの発明の健康商品をレンタル商品とし、算出手段において前記健康商品のレンタル料を保険料に加算するもので、加入者は健康商品を、健康商品購入のための一時的な高額出費をすることなく、安価に使用できると共に、レンタル料は保険料に加算されるので、決済処理手続きも簡単である。
【００１４】
第７の発明は、特に、第１〜６のいずれか一つの発明の健康商品は、前記健康商品の作動不良を検知する検知手段と第２の表示手段を備えるとともに、サーバは、前記作動不良の対処方法を記憶したデータベースを備え、前記検知手段で商品作動不良が検知されると、前記対処方法を前記データベースから読み出して、前記第２の表示手段に表示させるもので、健康商品が故障した時に加入者は、即座に故障内容を知る事ができると共に、表示された対処法に基づき必要な対処を行なうことができ、健康商品が本来機能を出さないまま無駄に運転されたり、健康商品が長期間に渡って使用できなくなることもない。
【００１５】
第８の発明は、特に、第７の発明のサーバが修理業者の端末と通信回線を介して接続されると共に、加入者が情報を入力するための入力手段を健康商品に設け、作動不良が解消しない場合に、前記サーバから前記修理業者の前記端末に前記作動不良内容を送信するとともに、前記入力手段から入力された前記加入者の情報を、前記サーバを介して前記端末に送信するもので、万が一加入者が作動不良を解消できなかった場合でも、修理業者により、即座に修理が行なわれるので、健康商品が長期間に渡って使用できなくなることもない。
【００１６】
第９の発明は、特に、第１〜８のいずれか一つの発明の健康商品は、酸素濃度の高い酸素富化空気を発生させる酸素富化手段と、柔軟な連結管を介して前記酸素富化手段と連通すると共に、前記酸素富化空気を吐出する酸素富化空気吐出手段とを備えた酸素富化機としたもので、リラックス効果が大きいので、兎角ストレスを受けやすい加入者にとっては、健康維持効果が大である。
【００１７】
第１０の発明は、特に、第９の発明の酸素富化手段を内蔵する本体と連結管をレンタル品として貸出すと共に酸素富化空気吐出手段を加入者に販売し、前記レンタル品の使用状況に基づきレンタル料を算出し、それを保険料に加算するもので、加入者は、上記レンタル品を使用した分だけ保険料を支払うことでライフサイクルコストを低減することができるとともに、酸素富化空気吐出手段が自分専用となるので衛生的である。。
【００１８】
第１１の発明は、特に、第１０の発明の本体及び連結管を使用可能な設備品またはレンタル品として旅客機、客船、旅客列車、バス等の輸送媒体に設置または備えたもので、加入者が健康に留意しながら運転又は乗車することができ、安全率が高まり、加入者の使用状況に応じて保険料を低減することができる。
【００１９】
第１２の発明は、特に、第９〜１１のいずれか一つの発明の酸素富化機を使用する部屋、席、個室等の場所または空間を加入者に提供し、加入者が使用した前記場所または前記空間の使用状況に基づき保険料を算出するもので、加入者の使用状況が確実に把握でき、かつ、加入者が使用した場所または空間の使用料を保険料に加味することができる。
【００２０】
第１３の発明は、特に、第９〜１２のいずれか一つの発明の加入者の体調に関する情報を入力して、酸素富化手段を有する本体へ前記加入者の体調に応じて酸素濃度、吹出し風量、温度を変化させる制御情報を出力するもので、加入者の体調に最適な酸素濃度、吹出し風量、温度の酸素富化空気を提供することができる。
【００２１】
第１４の発明は、特に、第９〜１２のいずれか一つの発明の加入者の脳波に関する情報を入力して、酸素富化手段を有する本体へ前記脳波に応じて酸素濃度、吹出し風量、温度を変化させる制御情報を出力するもので、加入者の体調に最適な酸素濃度、吹出し風量、温度の酸素富化空気を提供することができる。
【００２２】
第１５の発明は、特に、第９〜１２のいずれか一つの発明の加入者に関する個人情報をデーターベース化し、酸素富化手段を有する本体へ、前記データーベースに入力された前記個人情報に応じて酸素濃度、吹出し風量、温度を変化させる制御情報を出力するもので、加入者の夫々に最適な酸素濃度、吹出し風量、温度の酸素富化空気を提供することができる。
【００２３】
第１６の発明は、請求項９〜１５のいずれか１項に記載の保険料管理システムをコンピュータに実行させるための保険料管理プログラムを記録したもので、その記憶媒体を用いて、上記保険料管理システムの管理及び推進を、コンピュータにて迅速かつ確実に実践することができるものである。
【００２４】
以下、本発明の実施の形態について、図面を参照しながら説明する。なお、この実施の形態によって本発明が限定されるものではない。
【００２５】
（実施の形態１）
以下、本発明の第１の実施の形態における保険料管理システムについて図１〜図７を用いて説明する。
【００２６】
図２において、１は、本実施の形態における保険料管理システムで用いられると共に加入者の健康維持に使用される健康商品で、酸素富化機を例に説明する。健康商品１の本体１ａの内部には、酸素の濃度を高めた空気、いわゆる酸素富化空気を発生する酸素富化膜ユニット（図示せず）からなる酸素富化手段（図示せず）を設けている。前記酸素富化膜ユニットは有機高分子の平膜より構成され、その平膜を通過する分子の速度差を利用するもので、空気中の窒素に比べ酸素を多く通すため、比較的酸素濃度の高い空気いわゆる酸素富化空気が得られる。通常の空気において酸素が占める割合は約２１％（窒素約７９％）であるが、本実施の形態の酸素富化膜ユニットを通過後の酸素富化空気においては、酸素が占める割合が約３０％（窒素約７０％）となる。
【００２７】
１ｂは、酸素富化空気を、加入者に供給するための酸素富化空気吐出手段となるヘッドセットユニットである。本体１ａとヘッドセットユニット１ｂは、塩化ビニル等の柔軟な透明チューブからなる連結管１ｃで接続されている。
【００２８】
図１に、本実施の形態における保険料管理システムのブロック図を示す。
【００２９】
健康商品１は、上記のようにヘッドセットユニット１ｂ、連結管１ｃを備えると共に、本体１ａ内に、送受信手段１１と、制御手段１２と、健康商品１の使用状況を検知する検知手段１３と、記憶手段１４と、表示手段１５とを備えている。検知手段１３は、健康商品１の使用状況を検知するものであれば特に限定はなく、使用時間や使用回数を検知するものが好ましい。
【００３０】
２は、上記健康商品１と情報のやり取りを行なうサーバで、送受信装置２１と、制御手段２２、算出手段２３、記憶手段２４とを備えている。検知手段１３で検知された健康商品１の使用状況に関するデータは制御手段１２を介して記憶手段１４に送られる。そして蓄積されたデータは一定期間ごとに、記憶手段１４から送受信手段１１を介してサーバへ送られる。送受信手段１１は、健康商品１に一体的に組み込まれていてもよいし、別体として、いわゆるＬＡＮステーションの役割を果たしてもよい。送受信手段１１にＬＡＮステーションの役割を持たせる場合、健康商品１と送受信手段１１との通信手段は有線・無線のいずれであってもよい。無線通信によるときには、例えば短波長の近距離無線通信である「ブルートゥース」が好適に使用できる。
【００３１】
サーバ２へのデータ送信時期としては、保険料の決定・算出時期とするのが実用的である。例えば健康商品１の使用の度に保険料を算出する。または月ごとに保険料を算出する場合には、記憶手段１４の蓄積データを一ヶ月ごとにサーバ２へ送信すればよい。また、保険契約が月半ばで終了する場合などには、適当な時期にサーバ２から要求して、記憶手段１４内の蓄積データを記憶手段１４からサーバ２に送信させればよい。
【００３２】
健康商品１からサーバ２へ送られた使用状況を示すデータは、サーバ２の送受信手段２１、制御手段２２を介して算出手段２３に送られ、ここで保険料が算出される。保険料は健康商品１の使用状況に基づいて算出される。算出方法は健康商品１の種類などにより定められた保険料契約時の契約内容に従う。
【００３３】
例えば、健康商品１の使用状況として使用時間を検知する場合には、単位時間当たりの単価に使用時間を乗じて保険料を算出する。また健康商品１の使用状況として使用時間と使用回数を検知する場合には、使用１回当たり料金に使用回数を乗じ、単位時間当たりの単価に使用時間を乗じたものをこれに加えて保険料とする。
【００３４】
算出手段２３で算出された保険料は、制御手段２２を介して記憶手段２４に送られ記憶される。そして例えば保険料を清算するときに、利用者の口座開設銀行に保険料のデータを送信し、当該口座から保険料を引き落とすようにしてもよい。このようにすれば、健康商品１の使用状況の把握、保険料の算出およびその決裁が通信回線を介して全て行うことができ、これまでの保険料管理システムに比べ労力及び時間を格別に少なくすることができる。また、加入者の口座残高が少なく、保険料の決裁が出来ない場合には、サーバ２からの信号により健康商品１を不動作状態として、保険料の回収が円滑に行われるようにしてもよい。
【００３５】
また算出手段２３で算出した保険料を健康商品１に送信し、健康商品１に設けた表示手段１５に表示してもよい。このような構成によれば、利用者は知りたい時に保険料をしることができ、健康商品１の計画的な使用が可能となる。健康商品１への送信時期としては特に限定はなく、例えば保険料の決裁時及び加入者からの要求があった時が挙げられる。ここで表示手段１５は、健康商品１と一体として組み込まれていてもよいし、別体として健康商品１と異なる位置に設置してもよい。また専用の表示手段１５である必要はなく、例えばファクシミリや携帯電話、テレビといった既存の表示装置を代用してもよい。
【００３６】
上記により、加入者は健康商品１を使用した使用状況のその分だけ料金を加味した保険料を支払うことで健康を維持しつつ保険料を低減することができる。
【００３７】
なお、検知手段３で健康商品１の種類を検知し、その種類に応じて保険料を増減させるようにすれば、より実用的で、また加入者も満足する事ができる。例えば、健康商品１が安価で単純なマッサ−ジャーの場合と、本格的なエクササイズ機器などで健康維持効果が大きい健康商品の場合とで、前者に較べ後者の方の保険料を低減させるようにする。
【００３８】
又、健康商品１の動作不良を検知手段１３が検知し、サーバ２から健康商品１の作動不良の対処方法をあらかじめ記憶したデータベースから読み出して、健康商品１に設けた第２の表示手段（図示せず）に表示したり、サーバ２と修理業者の端末（図示せず）とを通信回線を介して接続しておき、健康商品１の作動不良が解消しない場合には、サーバ２から修理業者の端末に健康商品１の動作不良内容を送信するとともに、入力手段（図示せず）から入力された利用者の情報を、サーバ２を介して端末に送信することで、健康商品１の故障状況を把握でき、かつ対応方法が分かるため、安全かつ迅速に対処できる。
【００３９】
上記により、加入者は、健康商品１を使用した使用状況や、故障状況に応じてその分だけ料金を加味した保険料を支払うことで健康を維持しつつ保険料を低減することができる。
【００４０】
又、本体１ａ、連結管１ｃ及びヘッドセットユニット１ｂを複数備えておけば、複数の加入者が同時に利用できると共に、健康商品１台当たりのコストを低減することができる。
【００４１】
（実施の形態２）
図３は、本発明の第２の実施の形態における保険料管理システムに使用される健康商品のブロック図である。なお、上記第１の実施の形態と同一部分については、同一符号を付してその説明を省略する。
【００４２】
本実施の形態は、サーバ２から送信された作動制御用ソフトウエアにより、健康商品１の動作を制御することを特徴とするものである。
【００４３】
図３において、健康商品１は、制御手段１２と、利用者が使用するソフトウエアを選択入力するための入出力手段１８、健康商品１の作動状態を検知するセンサ１９と、サーバ２から送信されるソフトウエアなどの信号を受信する送受信手段１１、信号を復調する復調器１６ａ、デコーダ１７ａ、記憶手段１４を備えている。
【００４４】
そして、記憶手段１４に格納されたソフトウエアを制御手段１２が順次読み出して、センサ１９により健康商品１の作動状態を検知しながらその作動を制御する。またソフトウエアの使用費用は前記保険料に加算される。
【００４５】
上記構成により、利用者は、健康商品を作動させるソフトウエアを最新のソフトウエアを含む多数のソフトウエアの中から選択することができ、最適のソフトウエアで健康商品１を作動させることができる。
【００４６】
例えば、健康商品１の例として酸素富化機の場合、これまでは約３Ｌ／分の風量、酸素濃度約３０％の濃度でヘッドセットユニット１ｂより吹出しており、また運転時間は、１０分、２０分、３０分のタイマー運転中からしか利用者は選べなかった。一方、本実施の形態における保険料管理システムでは、加入者の体温、脈拍数、血糖値、血圧、血中酸素濃度、コレステロール値、身長、体重、視力、尿酸、体脂肪率等といった様々な加入者の体調や健康状態の要素を組み合わせた多数のソフトウエアの中から、加入者に合ったソフトウエアを選択できるようにする。
【００４７】
加入者の体調や健康状態に関する情報を入力して、酸素富化手段を有する本体１ａへ加入者の体調や健康状態に応じて酸素濃度、吹出し風量、温度を変化させ、適正な使用時間を示す制御情報を出力することで、加入者の体調や健康状態に最適な酸素濃度、吹出し風量、温度の酸素富化空気を提供することができる。また、ソフトウエアの使用に対する費用は、サーバ２で保険料に加算され、保険料として請求できるので、決済処理手続きが簡単となる。
【００４８】
図４に、このような管理システムにおける健康商品１の制御フローチャートの一例を示す。ステップＳ１１で、入出力手段１８を操作して加入者が健康商品１とサーバ２を接続する。ステップＳ１２で、ソフトウエア選択画面を入出力手段１８に表示する。このときの画面の表示例を図５に示す。
【００４９】
図５の画面表示では、ソフトウエアの制御内容を概説したリストがその使用料金と共に表示される。そして、図５の画面において加入者が、使用を希望するソフトウエアの番号部分をマウスポインタＭＰを操作してクリックすることにより選択手続きが完了する（ステップＳ１３）。加入者が入力したソフトウエアの選択信号をサーバ２に送信する（ステップＳ１４）。そして選択されたソフトウエアを健康商品１が受信すると（ステップＳ１５）、健康商品１の記憶手段１４に格納される（ステップＳ１６）。そしてステップＳ１７で、前記ソフトウエアに基づき健康商品１の作動が制御される。
【００５０】
（実施の形態３）
図６は、本発明の第３の実施の形態における保険料管理システムに使用される健康商品のブロック図である。なお、上記実施の形態と同一部分については、同一符号を付してその説明を省略する。
【００５１】
本実施の形態は、図６に示すように記憶手段１４を省いた点を除き、上記第２の実施の形態と同じで、サーバ２がソフトウエアを保有し、通信回線（図示せず）を介してサーバ２から健康商品１に作動制御信号を送信し、健康商品１の作動を制御するようにしたものである。
【００５２】
図６において、健康商品１側で、利用者が希望するソフトウエアを選択入力すると、サーバ２が保有するソフトウエアの中の選択されたものから作動制御信号が通信回線を介して健康商品１に送信される。送信された作動制御信号は送受信手段１１、信号を復調する復調器１６ａ、デコーダ１７ａを通って制御手段１２に至る。そして健康商品１の作動が制御される。一方健康商品１の使用状態はセンサ１９により検知される。センサ１９で検知して得られた検知データは、制御手段１２、エンコーダ１７ｂ、変調器１６ｂ、送受信手段１１を通ってサーバ２のソフトウエアにフィードバックされ、このデータに基づき作動制御信号が健康商品１へ送信される。
【００５３】
このような作動制御信号、検知データの送受信の繰り返しにより健康商品１の制御がなされる。例えば、健康商品１が酸素富化機の場合は、これまでは約３Ｌ／分の風量、酸素濃度約３０％の濃度でヘッドセットユニット１ｂより吹出しており、また運転時間は、１０分、２０分、３０分のタイマー運転中からしか利用者は選べなかったが、加入者の体温、脈拍数、血糖値、血圧、血中酸素濃度、コレステロール値、身長、体重、視力、尿酸、体脂肪率等といった様々な加入者の体調や健康状態の要素を組み合わせた多数のソフトウエアの中から加入者に合ったソフトウエアを選択できる。
【００５４】
加入者の体調や健康状態に関する情報を入力して、その情報はサーバ２に送られる。サーバ２では、入力された情報を基に酸素富化手段を有する本体１ａへ加入者の体調や健康状態に応じて酸素濃度、吹出し風量、温度を変化させ、適正な使用時間を示す制御情報を出力することで、作動制御信号としてこれらを本体１ａへ適宜送信し運転を制御し、加入者の体調や健康状態に最適な酸素濃度、吹出し風量、温度の酸素富化空気を提供することができる。なお、加入者が選択したソフトウエアにより健康商品１を制御することに対する費用は前記保険料に加算される。
【００５５】
さらには、加入者の脳波、心電図、赤血球数、白血球数等の更に詳細な加入者の人体に対する情報を入力して、その情報を、サーバ２に送れば、更に最適な情報を本体１ａに出力し、作動制御信号としてこれらを本体１ａへ適宜送信し運転を制御する事により、更に最適な酸素濃度、吹出し風量、温度の酸素富化空気を提供することができる。
【００５６】
また、上記したような加入者に関する情報により、本体１ａへ加入者の個人情報に応じて酸素濃度、吹出し風量、温度を変化させる制御情報を出力することで、加入者に関する情報により、加入者に最適な酸素濃度、吹出し風量、温度の酸素富化空気を提供することもできる。
【００５７】
上記構成により、第２の実施の形態における保険料管理システムと同様に、最新のソフトウエアを含む多数のソフトウエアの中から選択することができ、最適のソフトウエアで健康商品１を作動させることができる。またその費用はサーバ２で保険料に加算されて加入者に請求されるので、決済処理手続きが簡単となる。さらに、本保険料管理システムでは、サーバ２から健康商品１に作動制御信号を送信し、健康商品１を制御するので、ソフトウエアを記憶するための記憶手段を健康商品１に設ける必要がなく、安価に構成できる。
【００５８】
以上のように、加入者の体調に関する情報を入力して、酸素富化手段を有する本体１ａへ加入者の体調に応じて酸素濃度、吹出し風量、温度を変化させる制御情報を出力することで、加入者の体調に最適な酸素濃度、吹出し風量、温度の酸素富化空気を提供することができる。
【００５９】
また、加入者の脳波に関する情報を入力して、酸素富化手段を有する本体１ａへ加入者の脳波に応じて酸素濃度、吹出し風量、温度を変化させる制御情報を出力することで、加入者の体調に最適な酸素濃度、吹出し風量、温度の酸素富化空気を提供することができる。また、脳波のみならず、心電図、赤血球数、白血球数等の更に詳細な加入者の人体に対する情報を入力して、酸素富化手段を有する本体１ａへ加入者のより詳細な情報に応じて酸素濃度、吹出し風量、温度を変化させる制御情報を出力することで、加入者の体調に最適な酸素濃度、吹出し風量、温度の酸素富化空気を提供することができる。
【００６０】
更には、加入者に関する情報をデータベース化し、同データベースを用いて入力された加入者に関する情報により酸素富化手段を有する本体１ａへ加入者の個人情報に応じて酸素濃度、吹出し風量、温度を変化させる制御情報を出力することで、加入者に関する情報により加入者に最適な酸素濃度、吹出し風量、温度の酸素富化空気を提供することができる。
【００６１】
以下に、本保険料管理システムの他の例について述べる。
【００６２】
本体１ａ及び連結管１ｃをレンタル品として貸し出し、前記実施の形態と同様にして本体１ａ及び連結管１ｃの使用状況に基づきレンタル費を算出して保険料を加算すると共に、ヘッドセットユニット１ｂを加入者に販売し、加入者へ販売後のヘッドセットユニット１ｂを保管して、その保管状況に基づき保管費を算出して同保管費を得るようにする酸素富化機の保険料管理システムで、ヘッドセットユニット１ｂの保管費はサーバ２で保険料に加算されて加入者に請求される。加入者は、本体１ａ及び連結管１ｃをレンタル商品として酸素富化機を使用した使用状況のその分だけ保険料を支払うことでライフサイクルコストを低減することができると共にヘッドセットユニット１ｂは他人が使用したものでなく自分専用として衛生的に使用することができ、更には、自分専用のヘッドセットユニット１ｂを持ち歩くことを必要としないものである。
【００６３】
また本体１ａ及び連結管１ｃを使用可能な設備品として設備した場合には、その設備品をレンタル品として貸し出し、同様にして設備品をレンタル品として設備品の使用状況に基づき設備品使用費を算出して同設備品使用費を得ることができる。加入者は、健康商品１である酸素富化機を使用した使用状況のその分だけ設備品使用費を支払うことで保険費を低減することができる。
【００６４】
また、本体１ａ及び連結管１ｃを使用可能な設備品として設置した場合には、連結管１ｃ及びヘッドセットユニット１ｂから成る健康商品１、すなわち酸素富化機を使用する部屋、席、個室等の場所または空間を加入者に提供することで加入者の使用状況が確実に把握でき、かつ、加入者が使用した場所または空間を貸し出すことで使用料を算出し、サーバ２へ送られた空間使用料を保険料に加味することができる。
【００６５】
さらに、上記したように本体１ａ及び連結管１ｃを使用可能な設備品または貸し出し品として旅客機、客船、旅客列車、バス等の輸送媒体に設置または備えた場合、加入者が健康に留意しながら運転することができ、安全率が高まり、加入者の使用状況に応じて保険料を低減することができる。そして、加入者が酸素富化機を使用した分だけ使用料として保険料に加味することができる。
【００６６】
なお、上記の例では、本体１ａ及び連結管１ｃを使用可能な設備品または貸し出し品として旅客機、客船、旅客列車、バス等の輸送媒体に設置または備えるものとしているが、本体１ａのみを使用可能な設備品または貸し出し品として旅客機、客船、旅客列車、バス等の輸送媒体に設置または備えた場合においても全く同様であることはいうまでもない。
【００６７】
また、上記実施の形態で述べた保険料管理システムをコンピュータに実行させるための処理プログラムをコンピュータ読み取り可能な記憶媒体（図示せず）に記憶させておけば、その記憶媒体を用いて、上記保険料管理システムの管理及び推進を、コンピュータにて迅速かつ確実に実践することができるものである。
【産業上の利用可能性】
【００６８】
以上のように、本発明にかかる保険料管理システムは、加入年齢や加入期間だけではなく、健康商品の使用回数や使用時間といった健康維持管理の状況に応じて保険料を時間と労力をかけずに容易に算出することができるので、極めて有用である。
【図面の簡単な説明】
【００６９】
【図１】本発明の実施の形態１における保険料管理システムのブロック図
【図２】同保険料管理システムの健康商品の斜視図
【図３】本発明の実施の形態２における保険料管理システムの健康商品のブロック図
【図４】同管理システムの制御例を示すフローチャート
【図５】同保険料管理システムのソフトウエアの選択表示画面の一例を示す図
【図６】本発明の実施の形態３における保険料管理システムの健康商品のブロック図
【符号の説明】
【００７０】
１    健康商品
１ａ  本体
１ｂ  ヘッドセットユニット（酸素富化空気吐出手段）
１ｃ  連結管
２    サーバ
１２  制御手段
１３  検出手段
１５  表示手段
２３  算出手段
【図１】
2006236203.tif 000003
【図２】
2006236203.tif 000004
【図３】
2006236203.tif 000005
【図４】
2006236203.tif 000006
【図５】
2006236203.tif 000007
【図６】
2006236203.tif 000008